(57)【要約】【課題】  OTNにおいて、より柔軟にペイロード容量を提供する。【解決手段】  本発明は、送信側装置において、クライアント信号を受信し、束ねたODUのペイロード容量に相当するフレームに、入力されたクライアント信号を収容し、バーチャルコンカチネーションを構成するメンバである各ODUのサイズに応じて前記クライアント信号を分配し、分配された信号を多重したODU信号を送出し、受信側装置において、ODU信号を受信し、ODU信号について、バーチャルコンカチネーションを構成するメンバであるODUのデスキューを行い、デスキューされたODUを結合し、元のODU信号を復元し、復元されたODU信号からクライアント信号をデマッピングし、デマッピングされた信号を送出する。【選択図】  図６
2014103692.tif 000002
【特許請求の範囲】
【請求項１】
OTN（Optical Transport Network）におけるデジタル伝送システムであって、
クライアント信号を受信するクライアント信号受信手段と、
束ねたODU（Optical Channel Data Unit）のペイロード容量に相当するフレームに前記クライアント信号を収容するマッピング手段と、
バーチャルコンカチネーションを構成するメンバである各ODUのサイズに応じて前記クライアント信号を分配する分配手段と、
分配された信号を多重する多重手段と、
前記多重手段で生成された前記ODU信号を送出する伝送信号送信手段と、
を有する送信側装置と、
前記ODU信号を受信する伝送信号受信手段と、
バーチャルコンカチネーションを構成するメンバであるODUのデスキューを行う分離手段と、
デスキューされたODUを結合し、元のODU信号を復元する結合手段と、
復元されたODU信号からクライアント信号をデマッピングするデマッピング手段と、
デマッピングされた信号を送出するクライアント信号送信手段と、
を有する受信側装置と、
を有することを特徴とするデジタル伝送システム。
【請求項２】
前記送信側装置及び前記受信側装置に、
前記バーチャネルコンカチネーションを構成するメンバを動的に変更するリンクキャパシティ調整スキーム（LCAS）制御手段を更に有する
請求項１記載のデジタル伝送システム。
【請求項３】
OTNにおけるデジタル伝送方法であって、
クライアント信号受信手段、マッピング手段、分配手段、多重手段、伝送信号送信手段を有する送信側装置において、
前記クライアント信号受信手段が、クライアント信号を受信し、
前記マッピング手段が、束ねたODUのペイロード容量に相当するフレームに、入力されたクライアント信号を収容し、
前記分配手段が、バーチャルコンカチネーションを構成するメンバである各ODUのサイズに応じて前記クライアント信号を分配し、
前記多重手段が、分配された信号を多重し、
前記伝送信号送信手段が、多重されたODU信号を送出し、
伝送信号受信手段、分離手段、結合手段、デマッピング手段、クライアント信号送信手段を有する受信側装置において、
前記伝送信号受信手段が、ODU信号を受信し、
前記分離手段が、受信したODU信号について、バーチャルコンカチネーションを構成するメンバであるODUのデスキューを行い、
前記結合手段が、デスキューされたODUを結合し、元のODU信号を復元し、
前記デマッピング手段が、復元されたODU信号からクライアント信号をデマッピングし、
前記クライアント信号送信手段が、デマッピングされた信号を送出する
ことを特徴とするデジタル伝送方法。
【請求項４】
前記送信側装置において、
前記マッピング手段、前記分配手段、前記多重手段が、前記バーチャネルコンカチネーションを構成するメンバを動的に変更する第１のリンクキャパシティ調整スキーム（LCAS）制御手段の制御に基づいて、複数の波長間にまたがってペイロード容量の変更を動的に行い、
前記受信側装置において、
前記バーチャネルコンカチネーションを構成するメンバを動的に変更する第２のリンクキャパシティ調整スキーム（LCAS）制御手段の制御に基づいて、複数の波長間にまたがってペイロード容量の変更を動的に行う、
請求項３記載のデジタル伝送方法。
【発明の詳細な説明】
【技術分野】
【０００１】
本発明は、デジタル伝送システム及びデジタル伝送方法に係り、特に、イーサネット（登録商標）をはじめとしたクライアント信号を広域転送するOTN（Optical Transport Network）におけるペイロード容量の変更を行うためのデジタル伝送システム及びデジタル伝送方法に関する。
【背景技術】
【０００２】
インターネットなどの利用拡大に伴いデータトラフィックが急速に増加している。そのようなトラフィックを支えるためにバックボーンネットワークを支える伝送装置の伝送容量が拡大の一途を辿っている。このような伝送装置においてイーサネット（登録商標）をはじめとした多様なクライアント信号を信頼性高く広域転送する国際標準化技術としてITU-Tで規定されるOTNがある（例えば、非特許文献１参照）。例えばIEEEで規定されるイーサネット（登録商標）の最大伝送距離は40 kmであるが、イーサネット（登録商標）をOTNに収容することで40 kmを超える高信頼な長距離転送が可能となる。
【０００３】
近年、イーサネット（登録商標）の普及に伴いOTN規格が大きく拡張されイーサネット（登録商標）転送を重視したものになった。具体的には新しいODU（Optical Channel Data Unit）としてGbEを収容するODU0や10GbEを収容するODU2eや100GbEを収容するODU4が規定された。また将来出現するであろう新しいクライアント信号への対応や中間帯域の提供を可能とするODUflexが規定された。例えば将来、20 Gbit/sのビットレートを持つクライアント信号が出現した場合には20 Gbit/sのペイロード容量を持つODUflexを用いることで効率の良いクライアント信号の収容が可能となる。また中間帯域の例としては100GbEを50 Gbit/sの実効的な帯域で転送するといったものがあり、50 Gbit/sのペイロード容量を持つODUflexを用いることでそのようなことが実現可能である。
【０００４】
また、OTNにおいて帯域を柔軟に設定する技術としてバーチャルコンカチネーション技術がある。バーチャルコンカチネーションは複数の同一のODUkをX個束ねることでODUkペイロード容量X個分の容量を提供する。これはODUk-Xvと表記される。例えばODU2-4Vは10G×4 = 40Gの容量を提供し、ODU3-2vは40G x 2 = 80Gの容量を提供する。各ODUは別々の波長で伝送してもよく、受信側で各経路の遅延差を補償して元の信号を復元する。
【先行技術文献】
【非特許文献】
【０００５】
【非特許文献１】ITU-T Recommendation G. 709/Y. 1331 (12/2009), "Interfaces for Optical Transport Network (OTN)".
【発明の開示】
【発明が解決しようとする課題】
【０００６】
このようにOTNにおいてはODUflexやバーチャルコンカチネーションなどさまざまなペイロード容量を提供する手段が用意されているが以下に示すように柔軟性に欠けたものになっている。
【０００７】
第一に、ODUflexは図１３（装置構成は図１４）に示すように多様なペイロードの提供を可能にするがそのペイロード容量を動的に変更することができない。そのため、サービス開通後にユーザが帯域の増加（減少）を望んでもそのままでは帯域の変更ができず、一旦サービスを中断して、その後、再度帯域の変更したサービスを提供するという形になってしまう。
【０００８】
第二に、バーチャルコンカチネーションは複数のODUを束ねて多様なペイロード容量を提供するが、それは同一種類のODUに限られており、異なる種類のODUを束ねて多様なペイロード容量を提供することができない（図１５）。またODUflexについてはそもそもバーチャルコンカチネーション自体が規格化されていない。
【０００９】
第三に、バーチャルコンカチネーションを構成するODUの数を動的に変更する技術LCASが存在するが、これは上述のとおり同一種類のODUを用いたバーチャルコンカチネーションに限られている。
【００１０】
本発明は、上記の点に鑑みなされたもので、OTNにおいてより柔軟にペイロード容量を提供することが可能なデジタル伝送システムを提供することを目的とする。より具体的には、ODUflexにおいて動的なペイロード容量の変更を可能にし、バーチャルコンカチネーションにおいてODUflexも含め異なる種類のODUを複数束ねることを可能にし、さらに異なる種類のODUからなるバーチャルコンカチネーションのメンバの動的変更を可能にすることが可能なデジタル伝送システム及びデジタル伝送方法を目的とする。
【課題を解決するための手段】
【００１１】
上記の課題を解決するために、本発明（請求項１）は、バーチャルコンカチネーションにおいてODUflexも含め、異なる種類のODUを複数束ねることを可能とするためのOTN伝送装置であって、
クライアント信号を受信するクライアント信号受信手段と、
束ねたODUのペイロード容量に相当するフレームに前記クライアント信号を収容するマッピング手段と、
バーチャルコンカチネーションを構成するメンバである各ODUのサイズに応じて前記クライアント信号を分配する分配手段と、
分配された信号を多重する多重手段と、
前記多重手段で生成された前記ODU信号を送出する伝送信号送信手段と、
を有する送信側装置と、
前記ODU信号を受信する伝送信号受信手段と、
バーチャルコンカチネーションを構成するメンバであるODUのデスキューを行う分離手段と、
デスキューされたODUを結合し、元のODU信号を復元する結合手段と、
復元されたODU信号からクライアント信号をデマッピングするデマッピング手段と、
デマッピングされた信号を送出するクライアント信号送信手段と、
を有する受信側装置と、を有する。
【００１２】
また、本発明（請求項２）は、前記送信側装置及び前記受信側装置に、
前記バーチャネルコンカチネーションを構成するメンバを動的に変更するリンクキャパシティ調整スキーム（LCAS）制御手段を更に有する。
【００１３】
また、本発明（請求項３）は、バーチャルコンカチネーションにおいてODUflexも含め、異なる種類のODUを複数束ねることを可能とするためのデジタル伝送方法であって、
クライアント信号受信手段、マッピング手段、分配手段、多重手段、伝送信号送信手段を有する送信側装置において、
前記クライアント信号受信手段が、クライアント信号を受信し、
前記マッピング手段が、束ねたODUのペイロード容量に相当するフレームに、入力されたクライアント信号を収容し、
前記分配手段が、バーチャルコンカチネーションを構成するメンバである各ODUのサイズに応じて前記クライアント信号を分配し、
前記多重手段が、分配された信号を多重し、
前記伝送信号送信手段が、多重されたODU信号を送出し、
伝送信号受信手段、分離手段、結合手段、デマッピング手段、クライアント信号送信手段を有する受信側装置において、
前記伝送信号受信手段が、ODU信号を受信し、
前記分離手段が、受信したODU信号について、バーチャルコンカチネーションを構成するメンバであるODUのデスキューを行い、
前記結合手段が、デスキューされたODUを結合し、元のODU信号を復元し、
前記デマッピング手段が、復元されたODU信号からクライアント信号をデマッピングし、
前記クライアント信号送信手段が、デマッピングされた信号を送出する。
【００１４】
また、本発明（請求項４）は、前記送信側装置において、
前記マッピング手段、前記分配手段、前記多重手段が、前記バーチャネルコンカチネーションを構成するメンバを動的に変更する第１のリンクキャパシティ調整スキーム（LCAS）制御手段の制御に基づいて、複数の波長間にまたがってペイロード容量の変更を動的に行い、
前記受信側装置において、
前記バーチャネルコンカチネーションを構成するメンバを動的に変更する第２のリンクキャパシティ調整スキーム（LCAS）制御手段の制御に基づいて、複数の波長間にまたがってペイロード容量の変更を動的に行う。
【発明の効果】
【００１５】
上記のように、本発明によれば、送信側で信号のカプセル化時に、アイドル信号の挿抜を行い、受信側で復元時にアイドル信号を挿抜し、レート調整を行うことで、ODUflexのサイズ変更を可能とする。
【００１６】
また、送信側で信号のマッピング時にペイロード容量に相当するフレームに収容し、各ODUflexのサイズに応じて分配し、受信側では各ODUflexの伝送遅延補償を行いながら信号を復元することで、バーチャルコンカチネーションにおいて異なる種類のODUを束ねることが可能となる。
【００１７】
さらに、バーチャルコンカチネーションにLCASを適用してバーチャルコンカチネーションを構成するメンバの増減を行うことができる。
【図面の簡単な説明】
【００１８】
【図１】本発明の第１の実施の形態におけるODUflexのサイズ変更の例である。
【図２】本発明の第１の実施の形態における送信側装置・受信側装置の構成図である。
【図３】本発明の第１の実施の形態における転送レートを増加させる場合の時系列処理を示す図である。
【図４】本発明の第１の実施の形態における転送レートを減少させる場合の時系列処理を示す図である。
【図５】本発明の第２の実施の形態における異種ODUのバーチャルコンカチネーションの例である。
【図６】本発明の第２の実施の形態における送信側装置・受信側装置の構成図である。
【図７】本発明の第２の実施の形態における送信側装置の分配部の分配の例である。
【図８】本発明の第３の実施の形態におけるODUflex（GFP）バーチャルコンカチネーションを構成するODUflexの容量変更を示す図である。
【図９】本発明の第３の実施の形態における送信側装置・受信側装置の構成図である。
【図１０】本発明の第４の実施の形態におけるODUflex(GFP)バーチャルコンカチネーション構成メンバの変更による容量変更を示す図である。
【図１１】本発明の第４の実施の形態における異種ODUの波長間のペイロード容量の変更を示す図である。
【図１２】本発明の第４の実施の形態における送信側装置・受信側装置の構成図である。
【図１３】従来のODUflexを示す図である。
【図１４】従来のデジタル伝送システム送信側装置と受信側装置の構成図である。
【図１５】従来のバーチャルコンカチネーションの問題点を示す図である。
【発明を実施するための形態】
【００１９】
以下図面と共に、本発明の実施の形態を説明する。
【００２０】
［第１の実施の形態］
本実施の形態では、ODUflexのサイズ変更について説明する。
【００２１】
本実施の形態では、送信側で信号のカプセル化時にアイドル信号の挿抜を行い、受信側で復元する時にアイドル信号を挿抜し、レート調整を行うことで、ODUflexのサイズ変更を行う。
【００２２】
図１は、本発明の第１の実施の形態におけるODUflexのサイズ変更の例を示す。同図に示すようにあるクライアント信号を収容する際に当初は当該クライアント信号をタイムスロットN個相当のペイロード容量を持つODUflex（以下、「ODUflex(N)」と表記）に収容している状態で、その後にタイムスロット数をM個増加させて合計N+M個のタイムスロット相当のペイロード容量のODUflex(N+M)に動的に変更するというものである。
【００２３】
図２は、本発明の第１の実施の形態における装置構成を示す。同図（ａ）は送信側装置を示し、同図（ｂ）は受信側装置を示す。
【００２４】
同図（ａ）の送信側装置は、クライアント信号受信部１１０、カプセル化・アイドル挿抜部１２０、マッピング部１３０、多重部１４０、伝送信号送信部１５０、容量制御部１６０から構成される。
【００２５】
同図（ｂ）の受信側装置は、伝送信号受信部２５０、分離部２４０、デマッピング部２３０、デカプセル化・アイドル挿抜部２２０、クライアント信号送信部２１０、容量制御部２６０から構成される。
【００２６】
送信側装置では、クライアント信号受信部１１０がクライアント信号を受信し、光・電気変換などを行なう。電気信号に変換されたクライアント信号はカプセル化・アイドル挿抜部１２０に入力される。
【００２７】
カプセル化・アイドル挿抜部１２０ではクライアント信号をカプセル化するとともに容量制御部１６０からの設定容量情報をもとにアイドル信号の挿抜を行なってレート調整を行なう。また、カプセル化・アイドル挿抜部１２０はクライアント信号の実効的なトラフィック量から必要に応じてクライアント機器に対してフロー制御信号を送出する。カプセル化方法の具体例としてはGFP（Generic Framing Procedure）が挙げられる。例えばクライアント信号がイーサネット（登録商標）であるときにGFPを用いてカプセル化する場合には、イーサネット（登録商標）のアイドル信号を除去してMAC(Media Access Control)フレームにGFPオーバヘッドを付加することでGFPカプセル化する。さらにGFPアイドル信号を適宜挿入することでレート調整を行なう。
【００２８】
マッピング部１３０は、カプセル化されたクライアント信号とアイドル信号をODUflex(N)に収容し、多重部１４０に出力する。
【００２９】
多重部１４０は、複数のマッピング部１３０で生成されたODU信号を多重して上位のODU信号を生成する。ODUflex(N)は上位のODUのNタイムスロットにマッピングされる。
【００３０】
伝送信号送信部１５０は、当該ODU信号のオーバヘッド処理を施したり、誤り訂正符号を付加したりした後に伝送信号として送信する。ODU信号のオーバヘッドには容量制御部１６０からの設定容量情報に基づいてODU信号がどのように上位のODUに多重されているかを示す多重情報が含まれている。
【００３１】
容量制御部１６０は、カプセル化・アイドル挿抜部１２０、マッピング部１３０、多重部１４０に設定容量情報を出力する。設定容量情報はクライアント信号をどれだけのOTNのペイロード容量を用いて転送するのかを示す情報であり運用者が設定する。
【００３２】
受信側装置では伝送信号受信部２５０において伝送信号を受信して光・電気変換などを行なった後に分離部２４０に出力する。
【００３３】
分離部２４０は、受信したOTNフレームのオーバヘッドから多重情報を読み取り、その情報に基づいて、上位のODU信号に多重されている信号を分離して複数のODU信号を生成し、デマッピング部２３０に出力する。ここでは送信側で多重されていたODUflex(N)が分離された信号のひとつとなる。また、読み取った多重情報を容量制御部２６０に通知する。
【００３４】
デマッピング部２３０は、容量制御部２６０から入力された設定容量情報に基づいて、入力されたODUflex(N)をデマッピングしカプセル化されたクライアント信号とアイドル信号をデカプセル化・アイドル挿抜部２２０に送出する。
【００３５】
デカプセル化・アイドル挿抜部２２０は、カプセル化されたクライアント信号からもとのクライアント信号を復元すると共に、容量制御部２６０から入力された設定許容情報に基づいて、アイドル信号を挿抜する。送信側で一例として挙げたGFPをカプセル化に用いている場合には、まずGFPアイドル信号を除去して、GFPカプセル化されているクライアント信号からGFPオーバヘッドを取り除いてデカプセル化し、さらにイーサネット（登録商標）のアイドル信号を適宜挿入してイーサネット（登録商標）信号を復元する。
【００３６】
クライアント信号送信部２１０は復元されたクライアント信号を電気・光変換などして送出する。
【００３７】
容量制御部２６０は、分離部２４０、デマッピング部２３０、デカプセル化・アイドル挿抜部２２０に対して設定容量情報を出力する。この設定容量情報は送信側で用いられる設定容量情報と同一の情報であり、OTUオーバヘッドを用いて送信側から受信側に伝達された情報である。
【００３８】
上記のようにクライアント信号をODUflex(N)で転送している場合において、その転送レートを増加させる場合の時系列の処理について説明する。
【００３９】
図３は、本発明の第１の実施の形態における転送レートを増加させる場合の時系列の処理を示す。同図では、上位のODU（図３ではHigher Order (HO) ODUkと表記）とODUflex（図３ではLower Order (LO) ODUjと表記）のフレーム周期を模式的に示してある。
【００４０】
時刻T0は上位のODUのフレーム境界であり、その時刻において多重部１４０が上位のODUにおける割り当てトリビュタリスロット数をNからN+Mへ増加させる。このトリビュタリスロット数の増加は設定容量情報の設定変更がトリガになっている。この段階ではODUflexはまだODUflex(N)のままであり、割り当て容量が増えた分はGMP（Generic Mapping Procedure）などのマッピング方法によりスタッフィングすることとなる。
【００４１】
次に時刻T1でマッピング部１３０がODUflexのビットレートをODUflex(N)からODUflex(N+M)に増加させる。なお時刻T1はODUflexのフレーム境界に位置する。その際、多重部１４０はODUflexのサイズが増加したことを認識してスタッフバイトの量を減らすこととなる。
【００４２】
そして時刻T2で、カプセル化・アイドル挿抜部１２０がクライアント機器へ必要に応じてフロー制御することでクライアント信号の実効的な転送レートを増加させて容量増加処理が完了する。
【００４３】
次に、転送レートを減少させる場合の時系列の処理について説明する。
【００４４】
図４は、本発明の第１の実施の形態における転送レートを減少させる場合の時系列処理を示す。
【００４５】
図４に示すように、転送レートを減少させる場合の流れは、増加させる場合とは逆に必要に応じてフロー制御でクライアント信号の実効的な転送レートを減少させた後に（時刻T10）、ODUflexのビットレートを減少させ（時刻T11）、その後、割り当てトリビュタリスロット数を減少させて（時刻T12）容量減少処理が完了する。
【００４６】
［第２の実施の形態］
本実施の形態では、送信側で信号のマッピング時にペイロード容量に相当するフレームを収容し、各ODUflexのサイズに応じて分配し、受信側では、各ODUflexの伝送遅延補償を行いながら、信号を復元することで、バーチャルコンカチネーションにおいて異なる種類のODUを束ねることを可能にする例を示す。
【００４７】
図５は、本発明の第２の実施の形態における異種ODUのバーチャルコンカチネーションの例を示す。本実施の形態では、図５に示すように、あるクライアント信号を複数のODUflexにまたがって収容することを可能にする。この際、複数のODUflexの大きさが異なっていても良い。異なる種類のODUによるバーチャルコンカチネーションを以下のように表記することとする。例えば、ODU1が2つとODU2が1つのバーチャルコンカチネーションは「ODU1-2v+ODU2-1v」と表記する。また複数の異なるODUflexによるバーチャルコンカチネーションについて、例えば、ODUflex(M)とODUflex(N)の２つのODUからなるバーチャルコンカチネーションは「ODUflex-2v(M, N)」と表記することとする。
【００４８】
図６は、本発明の第２の実施の形態における送信側装置・受信側装置の構成を示す。
【００４９】
同図（ａ）は送信側装置を示し、同図（ｂ）は受信側装置を示す。
【００５０】
送信側装置は、クライアント信号受信部３１０、マッピング部３２０、分配部３３０、多重部３４０１，３４０２、伝送信号送信部３５０１,３５０２を有する。
【００５１】
受信側装置は、伝送信号受信部４５０１，４５０２、分離部４４０１，４４０２、結合部４３０、デマッピング部４２０、クライアント送信部４１０を有する。
【００５２】
送信側装置では、クライアント信号受信部３１０がクライアント信号を受信し光・電気変換などを行ない、マッピング部３２０に出力する。なお、クライアント信号受信部３１０の後段にカプセル化・アイドル信号挿抜部があっても良い。
【００５３】
マッピング部３２０は、電気信号に変換されたクライアント信号を、束ねたODUのペイロード容量に相当するODUflex-2v(M, N)に収容する。マッピング部３２０においてはODUflex-2v(M, N)をODUflex(M+N)と扱う。
【００５４】
分配部３３０は、マッピング部３２０からのODUflex-2v(M, N)を受信し、バーチャルコンカチネーションを構成するメンバである各ODUflexのサイズに応じて、複数のODUに分配する。この例では２つのODUflex(M)とODUflex(N)に分配する。図７に分配の例を示す。同図ではODUflex-2v(2, 3)を分配する例を示している。マッピング部３２０はODUflex(5)にクライアント信号を収容することとなるが、分配部３３０はODUflex(5)の5フレームのうち3フレームをODUflex(3)として、2フレームをODUflex(2)として2つに分配する。各ODUflexは多重部３４０１，３４０２に渡される。
【００５５】
多重部３４０１，３４０２は、複数のODUを多重して上位のODUを生成し、伝送信号送信部３５０１,３５０２に送出する。
【００５６】
伝送信号送信部３５０１,３５０２は、当該ODU信号のオーバヘッド処理を施したり誤り訂正符号を付加したりした後に伝送信号として送信する。
【００５７】
受信側装置では、伝送信号受信部４５０１，４５０２において伝送信号を受信して光・電気変換などを行ない、分離部４４０１，４４０２に送出する。
【００５８】
分離部４４０１，４４０２は、上位のODUに多重されている信号を分離して、バーチャルコンカチネーションを構成するメンバである各ODUflexのデスキューを行い、複数のODU信号を生成し、結合部４３０に送出する。この例ではODUflex(M)とODUflex(N)が各分離部４４０１，４４０２で生成される。
【００５９】
結合部４３０は、分離されたODU信号（ODUflex(M)とODUflex(N)）を結合し、元のODUflex-2v(M, N)信号を復元し、デマッピング部４２０に送出する。
【００６０】
デマッピング部４２０は、入力されたODUflex-2v(M, N)信号から収容されているクライアント信号をデマッピングしクライアント信号送信部４１０に渡す。
【００６１】
クライアント信号送信部４１０は、電気・光変換などを行なって信号を送出する。
【００６２】
ODUflex(M)とODUflex(N)の間には伝送遅延差が生じるためその補償（デスキュー）が必要であるが、それは標準化されているバーチャルコンカチネーションと同様にオーバヘッドバイトの一部に定義されているMFAS（Multi Frame Alignment Signal）とMFI(Multi Frame Information)を利用するといった方法が考えられる。
【００６３】
［第３の実施の形態］
本実施の形態では、ODUflexによるバーチャルコンカチネーションを構成するメンバの容量変更を可能にする例を示す。
【００６４】
図８は、本発明の第３の実施の形態におけるODUflex(GFP)バーチャルコンカチネーションを構成するODUflexの容量変更を示す。同図に示すように当初クライアント信号はODUflex-2v(M, N)に収容されていたものを、そのメンバのひとつのODUflex(M)をODUflex(M+2)に無瞬断で動的に容量を変更する。結果的に、ODUflex-2v(N, M+2)を提供する。
【００６５】
図９は、本発明の第３の実施の形態における送信側装置・受信側装置の構成を示す。
【００６６】
同図（ａ）は送信側装置を示し、同図（ｂ）は受信側装置を示す。
【００６７】
送信側装置は、クライアント信号受信部５１０、カプセル化・アイドル挿抜部５２０、マッピング部５３０、分配部５４０、多重部５５０１，５５０２、伝送信号送信部５６０１,５６０２、容量制御部５７０から構成される。
【００６８】
受信側装置は、伝送信号受信部６６０１，６６０２、分離部６５０１，６５０２、結合部６４０、デマッピング部６３０、デカプセル化・アイドル挿抜部６２０、クライアント信号送信部６１０、容量制御部６７０から構成される。
【００６９】
送信側では、クライアント信号受信部５１０がクライアント信号を受信し光・電気変換などを行い、電気信号に変換されたクライアント信号をカプセル化・アイドル挿抜部５２０に入力する。
【００７０】
カプセル化・アイドル挿抜部５２０は、クライアント信号をカプセル化するとともに容量制御部５７０からの設定容量情報をもとにアイドル信号の挿抜を行なってレート調整を行ない、マッピング部５３０に送出する。
【００７１】
マッピング部５３０は、カプセル化されたクライアント信号とアイドル信号を容量制御部５７０から設定容量情報に基づいて、ODUflex-2v(M,N)に収容する。
【００７２】
分配部５４０は、マッピング部５３０からのODUflex-2v(M, N)を受信し、複数のODUに分配する。この例では２つのODUflex(M)とODUflex(N)に分配し、各ODUflexを多重部５５０１，５５０２に送出する。
【００７３】
多重部５５０１，５５０２は、容量制御部５７０から設定容量情報に基づいて、複数のODUを多重して上位のODUを生成し、伝送信号送信部５６０１，５６０２に送出する。
【００７４】
伝送信号送信部５６０１，５６０２では当該ODU信号のオーバヘッド処理を施したり誤り訂正符号を付加したりした後に伝送信号として送信する。
【００７５】
容量制御部５７０は、設定容量情報を出力する。設定容量情報はクライアント信号をどれだけのOTNのペイロード容量を用いて転送するのか、何個のどのような種類のODU信号をバーチャルコンカチネーションしているかを示す情報であり運用者が設定する。
【００７６】
受信側では伝送信号受信部６６０１，６６０２において伝送信号を受信して光・電気変換などを行なった後に分離部６５０１，６５０２に送出する。
【００７７】
容量制御部６７０は、設定容量情報を出力する。この設定容量情報は送信側で用いられる設定容量情報と同一の情報であり、OTNのオーバヘッドを用いて送信側から受信側に伝達された情報である。
【００７８】
分離部６５０１，６５０２は、上位のODUに多重されている信号を分離して複数のODU信号を生成する。この例ではODUflex(M)とODUflex(N)が各分離部６５０１，６５０２で生成される。分離されたODU信号は結合部に入力される。
【００７９】
結合部６４０は、容量制御部６７０から設定容量情報に基づいて、分離されたODU信号を結合し、元のODUflex-2v(M, N)信号を復元する。
【００８０】
デマッピング部６３０は入力されたODUflex-2v(M, N)信号から収容されているクライアント信号を容量制御部６７０から設定容量情報に基づいて、デマッピングする。
【００８１】
デカプセル化・アイドル挿抜部６２０は、カプセル化されたクライアント信号から元のクライアント信号を容量制御部６７０から設定容量情報に基づいて、復元するとともにアイドル信号を抜去する。
【００８２】
クライアント信号送信部６１０は、復元されたクライアント信号を電気・光変換などして送出する。
【００８３】
このような状況において、ODUflex-2v(M, N)を構成するODUflex(M)のサイズを第１の実施の形態に示すような方法で変更することで、例えばODUflex(M)をODUflex(M+2)に変更して、結果的にODUflex-2v(M+2, N)に変更することが可能になる。
【００８４】
［第４の実施の形態］
本実施の形態では、ODUflex バーチャルコンカチネーションの構成メンバをリンクキャパシティ調整スキーム（LCAS）によって変更する。ITU-T勧告G.7042においてLCASが規定されている。LCASは、SDH(Synchronous Digital Hierarchy)やOTNにおけるバーチャルコンカチネーション（VCAT）の構成メンバを動的に変更することで無瞬断で容量の変更を可能にする。
【００８５】
図１０に示すように、ODUflexを用いたバーチャルコンカチネーションにおいても適用可能である。ODUflex-resizing（ODUflexのサイズ変更）, ODUflexバーチャルコンカチネーション、LCASを用いることでユーザに提供するペイロード容量を自由自在に変化させることが可能である。その際、一波長内での容量変更はもとより波長間にまたがったペイロード容量の変更も可能になる。その概念図を図１１に示す。
【００８６】
図１２は、本発明の第４の実施の形態における送信側装置・受信側装置の構成を示す。同図において、第２の実施の形態の図６と同一構成部分には同一符号を付し、その説明を省略する。
【００８７】
図１２に示す送信側装置及び受信側装置は、第２の実施の形態の構成において、送信側装置及び受信側装置に、それぞれODUの数を動的に変更するLCAS制御部３６０，４６０を付加した構成である。送信側装置の多重部３４０１，３４０２は、分配部３３０から入力されたODUflex(M)とODUflex(N)のペイロード容量をLCAS制御部３６０の制御により変更して出力する。また、受信側装置の分離部４４０１，４４０２は伝送信号受信部４５０１，４５０２から入力されたOTU信号をLCAS制御部４６０の制御によりペイロード容量を変更して出力する。
【００８８】
なお、本発明は、上記の実施の形態に限定されることなく、特許請求の範囲内において、種々変更・応用が可能である。
【符号の説明】
【００８９】
１１０，３１０  クライアント信号受信部
１２０  カプセル化・アイドル挿抜部
１３０，３２０  マッピング部
１４０，３４０  多重部
１５０，３５０  伝送信号送信部
１６０  容量制御部
２１０，４１０  クライアント信号送信部
２２０  デカプセル化・アイドル挿抜部
２３０，４２０  デマッピング部
２４０，４４０  分離部
２５０，４５０  伝送信号受信部
２６０  容量制御部
３６０  LCAS制御部
４３０  結合部
【図１】
2014103692.tif 000003
【図２】
2014103692.tif 000004
【図３】
2014103692.tif 000005
【図４】
2014103692.tif 000006
【図５】
2014103692.tif 000007
【図６】
2014103692.tif 000008
【図７】
2014103692.tif 000009
【図８】
2014103692.tif 000010
【図９】
2014103692.tif 000011
【図１０】
2014103692.tif 000012
【図１１】
2014103692.tif 000013
【図１２】
2014103692.tif 000014
【図１３】
2014103692.tif 000015
【図１４】
2014103692.tif 000016
【図１５】
2014103692.tif 000017